(57)【要約】【課題】訴求効果の高いコンテンツを提供することができる。【解決手段】本願に係る配信装置は、受付部と、配信部とを有する。受付部は、端末装置からクエリを受け付ける。配信部は、受付部によって受け付けられたクエリによって示される広告主に関するコンテンツであって、広告主の広告コンテンツが表示されるコンテンツを端末装置に配信する。例えば、配信部は、コンテンツとして、広告主に関する情報を含む広告主専用コンテンツを端末装置に配信する。また、配信部は、広告主の拠点に関する情報を含む広告主専用コンテンツを端末装置に配信する。【選択図】図３
2019056963.tif 000002
【特許請求の範囲】
【請求項１】
端末装置からクエリを受け付ける受付部と、
前記受付部によって受け付けられたクエリによって示される広告主に関するコンテンツであって、前記広告主の広告コンテンツが表示されるコンテンツを前記端末装置に配信する配信部と、
を備えたことを特徴とする配信装置。
【請求項２】
前記配信部は、
前記コンテンツとして、前記広告主に関する情報を含む広告主専用コンテンツを前記端末装置に配信する、
ことを特徴とする請求項１に記載の配信装置。
【請求項３】
前記配信部は、
前記広告主の拠点に関する情報を含む前記広告主専用コンテンツを前記端末装置に配信する、
ことを特徴とする請求項１又は２に記載の配信装置。
【請求項４】
前記配信部は、
前記受付部によって受け付けられたクエリに地域に関する情報が含まれる場合に、前記地域に関する情報を含む前記広告主の広告コンテンツが表示されるコンテンツを前記端末装置に配信する、
ことを特徴とする請求項１〜３のいずれか１つに記載の配信装置。
【請求項５】
前記配信部は、
前記受付部によって受け付けられたクエリに施設に関する情報が含まれる場合に、前記端末装置の所在位置に関する位置情報に基づいて決定される施設に対応する広告コンテンツが表示されるコンテンツを前記端末装置に配信する、
ことを特徴とする請求項１〜４のいずれか１つに記載の配信装置。
【請求項６】
前記配信部は、
前記受付部によって受け付けられたクエリに施設に関する情報が含まれる場合に、前記端末装置の所在位置に関する位置情報に最も近接した施設に対応する広告コンテンツが表示されるコンテンツを前記端末装置に配信する、
ことを特徴とする請求項５に記載の配信装置。
【請求項７】
前記配信部は、
前記受付部によって受け付けられたクエリに前記広告主が有する施設に関する情報が含まれる場合に、前記広告主が有する施設の状況に応じた広告コンテンツが表示されるコンテンツを前記端末装置に配信する、
ことを特徴とする請求項１〜６のいずれか１つに記載の配信装置。
【請求項８】
前記配信部は、
前記受付部によって受け付けられたクエリに前記広告主が有する施設に関する情報が含まれる場合に、前記広告主が有する施設の混雑状況に応じた広告コンテンツが表示されるコンテンツを前記端末装置に配信する、
ことを特徴とする請求項７に記載の配信装置。
【請求項９】
前記配信部は、
前記受付部によって受け付けられたクエリによって示される前記広告主に関するコンテンツであって、前記広告主が提供するネットサービスに対応する広告コンテンツが表示されるコンテンツを前記端末装置に配信する、
ことを特徴とする請求項１〜８のいずれか１つに記載の配信装置。
【請求項１０】
コンピュータが実行する配信方法であって、
端末装置からクエリを受け付ける受付工程と、
前記受付工程によって受け付けられたクエリによって示される広告主に関するコンテンツであって、前記広告主の広告コンテンツが表示されるコンテンツを前記端末装置に配信する配信工程と、
を備えたことを特徴とする配信方法。
【請求項１１】
端末装置からクエリを受け付ける受付手順と、
前記受付手順によって受け付けられたクエリによって示される広告主に関するコンテンツであって、前記広告主の広告コンテンツが表示されるコンテンツを前記端末装置に配信する配信手順と、
をコンピュータに実行させることを特徴とする配信プログラム。
【発明の詳細な説明】
【技術分野】
【０００１】
本発明は、配信装置、配信方法及び配信プログラムに関する。
【背景技術】
【０００２】
近年、インターネットの飛躍的な普及に伴い、ネットワークを介した広告コンテンツの配信が行われている。例えば、広告企業にとってはその広告企業の広告コンテンツに興味があると思われる利用者に閲覧させやすい状態とする技術が知られている。
【先行技術文献】
【特許文献】
【０００３】
【特許文献１】特開２０１１−２８６４５号公報
【発明の概要】
【発明が解決しようとする課題】
【０００４】
しかしながら、上述の従来技術では、訴求効果の高いコンテンツを提供することができるとは限らない。例えば、上述の従来技術では、広告企業にとってはその広告企業の広告コンテンツに興味があると思われる利用者に閲覧させやすい状態とするに過ぎず、訴求効果の高いコンテンツを提供することができるとは限らない。
【０００５】
本願は、上記に鑑みてなされたものであって、訴求効果の高いコンテンツを提供することができる配信装置、配信方法及び配信プログラムを提供することを目的とする。
【課題を解決するための手段】
【０００６】
本願に係る配信装置は、端末装置からクエリを受け付ける受付部と、前記受付部によって受け付けられたクエリによって示される広告主に関するコンテンツであって、前記広告主の広告コンテンツが表示されるコンテンツを前記端末装置に配信する配信部と、を備えたことを特徴とする。
【発明の効果】
【０００７】
実施形態の一態様によれば、訴求効果の高いコンテンツを提供することができるという効果を奏する。
【図面の簡単な説明】
【０００８】
【図１】図１は、実施形態に係る配信処理の一例を示す図である。
【図２】図２は、実施形態に係る配信処理における広告主専用コンテンツの一例を示す概念図である。
【図３】図３は、実施形態に係る配信装置の構成例を示す図である。
【図４】図４は、実施形態に係るコンテンツ記憶部の一例を示す図である。
【図５】図５は、実施形態に係る広告装置の構成例を示す図である。
【図６】図６は、実施形態に係る配信装置による配信処理手順を示すフローチャートである。
【図７】図７は、変形例に係る配信処理の一例を示す図である。
【図８】図８は、配信装置の機能を実現するコンピュータの一例を示すハードウェア構成図である。
【発明を実施するための形態】
【０００９】
以下に、本願に係る配信装置、配信方法及び配信プログラムの実施形態について図面を参照しつつ詳細に説明する。なお、この実施形態により本願に係る配信装置、配信方法及び配信プログラムが限定されるものではない。
【００１０】
〔１．配信装置の情報処理の一例〕
図１を用いて、実施形態に係る配信処理の一例について説明する。図１は、実施形態に係る配信処理の一例を示す図である。図１では、配信装置１００により配信処理が実行される例を示す。
【００１１】
図１に示すように、配信システム１は、端末装置１０と、広告装置２０と、配信装置１００とを含む。端末装置１０、広告装置２０及び配信装置１００は、図示しない所定の通信網を介して、有線又は無線により通信可能に接続される。なお、図１に示す配信システム１には、複数台の端末装置１０や、複数台の広告装置２０や、複数台の配信装置１００が含まれてもよい。
【００１２】
端末装置１０は、ブラウザに表示されるウェブページやアプリケーションに表示されるコンテンツ等のウェブコンテンツにアクセスするユーザによって利用される情報処理装置である。例えば、端末装置１０は、デスクトップ型ＰＣ（Personal  Computer）や、ノート型ＰＣや、タブレット端末や、携帯電話機や、ＰＤＡ（Personal  Digital  Assistant）等である。
【００１３】
広告装置２０は、広告コンテンツの配信を行うサーバ装置である。例えば、広告装置２０は、配信装置１００から送信されるクエリを受け付け、配信装置１００が受け付けたクエリに対応する広告コンテンツを選択する。そして、広告装置２０は、配信装置１００に広告コンテンツを配信する。また、以下では、広告主が、すでに広告コンテンツを広告装置２０に入稿したものとして説明する。
【００１４】
配信装置１００は、端末装置１０にウェブページ等のコンテンツを配信するウェブサーバ等である。具体的には、配信装置１００は、端末装置１０からクエリを受け付け、受け付けたクエリが示す広告主に特化したコンテンツ（以下、広告主専用コンテンツと表記する）を検索結果として端末装置１０に配信する。例えば、配信装置１００は、広告主によって提供されるコンテンツに基づいて、広告主が有する店舗の所在情報等を含む広告主専用コンテンツを生成する。なお、配信装置１００は、ニュースサイト、オークションサイト、天気予報サイト、ショッピングサイト、ファイナンス（株価）サイト、路線検索サイト、地図提供サイト、旅行サイト、飲食店紹介サイト、ウェブブログ等に基づいて広告主専用コンテンツを生成してもよい。
【００１５】
以下、図１を用いて、配信装置１００による広告主専用コンテンツの配信処理の一例を流れに沿って説明する。
【００１６】
まず、図１に示すように、配信装置１００は、ユーザによって入力されたクエリを端末装置１０から受け付ける（ステップＳ１）。例えば、配信装置１００は、クエリを入力するための検索画面を端末装置１０に提供して、かかる検索画面に入力されたクエリを受け付ける。実施形態に係る配信装置１００は、クエリとして、事業所や店舗等の地理的な位置情報と紐付けられる場所や建物において事業や活動を行っている企業や団体の名称を受け付ける。そして、配信装置１００は、クエリに対応する企業や団体が事業や活動を行っている場所や建物に関する情報に特化した検索結果を配信する。例えば、配信装置１００は、クエリとしてＡＡ銀行等のような企業名、デパート名、飲食店名、スーパーマーケットの名称等を受け付ける。そして、配信装置１００は、かかるクエリに対応する広告主に関する情報である店舗の所在位置に関する情報、店舗までのアクセスに関する情報、店舗の外観に関する情報、広告主によって提供されるサービスに関する情報、店舗で使用可能なクーポンに関する情報、ユーザによる店舗ごとに対する評価に関する情報等を提供する。
【００１７】
そして、配信装置１００は、ユーザによって入力されたクエリを広告装置２０に送信する（ステップＳ２）。続いて、広告装置２０は、配信装置１００から受け付けたクエリに対応する広告コンテンツを選択する（ステップＳ３）。具体的には、広告装置２０は、配信装置１００から受け付けたクエリによって示される企業である広告主によって入稿された広告コンテンツを選択する。そして、広告装置２０は、配信装置１００に広告コンテンツを配信する（ステップＳ４）。続いて、配信装置１００は、広告主によって提供されるコンテンツに基づいて、クエリによって示される広告主の広告主専用コンテンツを生成する（ステップＳ５）。そして、配信装置１００は、広告装置２０から配信された広告コンテンツを、広告主専用コンテンツの所定の表示枠に組み込んで、かかる広告主専用コンテンツを端末装置１０に配信する（ステップＳ６）。
【００１８】
ここで、図２を用いて、広告主専用コンテンツＷ１を説明する。図２は、実施形態に係る広告主専用コンテンツの一例を示す概念図である。図２に示すように、広告主専用コンテンツＷ１には、広告主によって提供されるコンテンツＣ１及びＣ２が含まれる。図２の例では、広告主専用コンテンツＷ１の中央部の上部にコンテンツＣ１と、広告主専用コンテンツＷ１の中央部の下部にコンテンツＣ２とが配置されている。コンテンツＣ１は、広告主が有する店舗の外観に関する情報を示す。図２の例では、コンテンツＣ１は、広告主であるＡＡ銀行ＸＸＸＸ支店の外観に関する画像情報を示す。コンテンツＣ２は、広告主が有する店舗の所在位置に関する情報を示し、ユーザがコンテンツＣ２をクリックすることで地図提供サイトに遷移する。図２の例では、コンテンツＣ２は、広告主であるＡＡ銀行ＸＸＸＸ支店の所在位置に関する情報を示す。
【００１９】
また、図２に示すように、広告主専用コンテンツＷ１には、広告装置２０によって配信された広告コンテンツＡ１及びＡ２が含まれる。図２の例では、広告主専用コンテンツＷ１の上部に広告コンテンツＡ１と、広告主専用コンテンツＷ１の下部に広告コンテンツＡ２とが配置されている。広告コンテンツＡ１は、広告主が提供するサービスやキャンペーンに関する情報等を示す。図２の例では、広告コンテンツＡ１は、広告主であるＡＡ銀行が提供するアプリケーションサービスに関する情報を示す。広告コンテンツＡ２は、広告コンテンツの提供元に関する情報を示す。図２の例では、広告コンテンツＡ２は、広告主であるＡＡ銀行が広告コンテンツの提供元であることを示す。
【００２０】
なお、配信装置１００は、広告主の名称に関連する辞書データを有してもよい。また、配信装置１００は、広告主の名称に関連する辞書データを広告主から受け付けてもよい。そして、配信装置１００は、端末装置１０から受け付けたクエリが辞書データに含まれる場合に、かかるクエリに対応する広告主の広告コンテンツを含む広告主専用コンテンツを端末装置１０に配信してもよい。
【００２１】
また、配信装置１００は、ユーザによって入力されたクエリや、ユーザによってクエリが入力された上でアクセスされたコンテンツ（ウェブページ等）の履歴情報を学習することで、広告主の名称に関連する辞書データを生成してもよい。そして、配信装置１００は、端末装置１０から受け付けたクエリが、学習により生成された辞書データに含まれる場合に、かかるクエリに対応する広告主の広告コンテンツを含む広告主専用コンテンツを端末装置１０に配信してもよい。
【００２２】
このように、実施形態に係る配信装置１００は、広告装置２０によって配信された広告コンテンツを広告主専用コンテンツの所定の表示枠に組み込んで、かかる広告主専用コンテンツを端末装置１０に配信する。これにより、実施形態に係る配信装置１００は、クエリに対応する広告主専用のウェブコンテンツ一面に広告主に関する広告コンテンツで占有することができるので、訴求効果を高めることができる。この点について説明する。配信装置１００は、広告主によって提供されるコンテンツに基づいて生成されるコンテンツ（広告主専用コンテンツに相当）を配信する。このとき、広告装置２０は、クエリに対応する広告コンテンツを選択することで、広告主専用コンテンツに設けられている所定の表示枠に広告コンテンツを提供する。これにより、ウェブコンテンツ一面を特定の広告主に関する広告コンテンツで占有することができるので、訴求効果を高めることができる。また、広告主が有する店舗の混雑状況等に応じた広告コンテンツや広告主が提供するキャンペーン等に関する広告コンテンツを含む広告主専用コンテンツを提供することができる。結果として、広告主にとって自由度の高い広告コンテンツを含む広告主専用コンテンツの提供を実現する。したがって、配信装置１００は、広告主にとって自由度が高い広告コンテンツを含む広告主専用コンテンツをユーザに提供することができる。
【００２３】
〔２．配信装置の構成〕
次に、図３を用いて、実施形態に係る配信装置１００の構成について説明する。図３は、実施形態に係る配信装置１００の構成例を示す図である。図３に示すように、配信装置１００は、通信部１１０と、コンテンツ記憶部１２０と、制御部１３０とを有する。
【００２４】
（通信部１１０について）
通信部１１０は、例えば、ＮＩＣ（Network  Interface  Card）等によって実現される。そして、通信部１１０は、ネットワークＮと有線又は無線で接続され、端末装置１０と広告装置２０との間で情報の送受信を行う。
【００２５】
（コンテンツ記憶部１２０について）
実施形態に係るコンテンツ記憶部１２０は、広告主によって提供されるコンテンツを記憶する。例えば、コンテンツ記憶部１２０は、広告主から提供されるコンテンツとして、広告主に関する情報である店舗の所在位置に関する情報、店舗までのアクセスに関する情報、店舗の外観に関する情報、広告主によって提供されるサービスに関する情報、店舗で使用可能なクーポンに関する情報、ユーザによる店舗ごとに対する評価に関する情報等を記憶する。コンテンツ記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。ここで、図４に、実施形態に係るコンテンツ記憶部１２０の一例を示す。図４に示した例では、コンテンツ記憶部１２０は、「広告主ＩＤ」、「広告主から提供されるコンテンツ」といった項目を有する。
【００２６】
「広告主ＩＤ」は、広告主を識別するための識別情報を示す。「広告主から提供されるコンテンツ」は、広告主から提供されるコンテンツであり、広告主専用コンテンツを生成するための基となるコンテンツを示す。例えば、図４では、広告主ＣＬ１によって提供されたコンテンツ「Ｃ１」を示す。なお、コンテンツ記憶部１２０は、クローラと呼ばれる巡回ロボットが取得したコンテンツに基づいて定期的に更新される。
【００２７】
（制御部１３０について）
制御部１３０は、コントローラ（Controller）であり、例えば、ＣＰＵ（Central  Processing  Unit）やＭＰＵ（Micro  Processing  Unit）等によって、配信装置１００内部の記憶装置に記憶されている各種プログラム（配信プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００２８】
図３に示すように、制御部１３０は、クエリ受付部１３１と、広告コンテンツ受付部１３２と、生成部１３３、配信部１３４とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００２９】
（クエリ受付部１３１について）
クエリ受付部１３１は、ユーザによって入力されるクエリを受け付ける。例えば、クエリ受付部１３１は、クエリを入力するための検索画面を端末装置１０に提供して、かかる検索画面に入力されたクエリを端末装置１０から受け付ける。この場合、クエリ受付部１３１は、クエリとして、例えば、ＡＡ銀行等のような企業名、デパート名、飲食店名、スーパーマーケットの名称等を受け付ける。
【００３０】
（広告コンテンツ受付部１３２について）
広告コンテンツ受付部１３２は、クエリ受付部１３１によって受け付けられたクエリを広告装置２０に送信し、かかるクエリに対応する広告主の広告コンテンツを広告装置２０から受け付ける。具体的には、広告コンテンツ受付部１３２は、クエリ受付部１３１によって受け付けられたクエリを広告装置２０に送信する。この場合、広告コンテンツ受付部１３２は、かかるクエリが広告主を示すため、クエリが示す広告主の広告コンテンツを広告装置２０から受け付ける。
【００３１】
（生成部１３３について）
生成部１３３は、広告主によって提供されるコンテンツに基づいて、広告主専用コンテンツを生成する。例えば、生成部１３３は、クエリ受付部１３１によって受け付けられたクエリに対応する広告主によって提供されるコンテンツである広告主に関する情報である店舗の所在位置に関する情報、店舗までのアクセスに関する情報、店舗の外観に関する情報、広告主によって提供されるサービスに関する情報等をコンテンツ記憶部１２０から参照する。そして、生成部１３３は、かかる広告主によって提供されるコンテンツに基づいて、広告主の店舗の地図情報、アクセスに関する情報、外観に関する情報、広告主によって提供されるサービスに関する情報等が店舗ごとに集約された広告主専用コンテンツを生成する。
【００３２】
（配信部１３４について）
配信部１３４は、クエリ受付部１３１によって受け付けられたクエリによって示される広告主に関するコンテンツであって、広告主の広告コンテンツが表示されるコンテンツを端末装置１０に配信する。具体的には、配信部１３４は、クエリ受付部１３１によって受け付けられたクエリに対応する広告主の広告主専用コンテンツを端末装置１０に配信する。例えば、配信部１３４は、生成部１３３によって生成された広告主専用コンテンツに、広告コンテンツ受付部１３２によって受け付けられた広告コンテンツを組み込んで、かかる広告主専用コンテンツを端末装置１０に配信する。
【００３３】
〔３．広告装置の構成〕
次に、図５を用いて、実施形態に係る広告装置２０の構成について説明する。図５は、実施形態に係る広告装置２０の構成例を示す図である。図５に示すように、広告装置２０は、通信部２１と、広告コンテンツ記憶部２２と、制御部２３とを有する。
【００３４】
通信部２１は、例えば、ＮＩＣ等によって実現される。そして、通信部２１は、ネットワークＮと有線又は無線で接続され、端末装置１０と配信装置１００との間で情報の送受信を行う。
【００３５】
実施形態に係る広告コンテンツ記憶部２２は、広告主から入稿される広告コンテンツを記憶する。広告コンテンツ記憶部２２は、例えば、ＲＡＭ、フラッシュメモリ等の半導体メモリ素子、または、ハードディスク、光ディスク等の記憶装置によって実現される。
【００３６】
制御部２３は、コントローラであり、例えば、ＣＰＵやＭＰＵ等によって、広告装置２０内部の記憶装置に記憶されている各種プログラム（広告配信プログラムの一例に相当）がＲＡＭを作業領域として実行されることにより実現される。また、制御部２３は、コントローラであり、例えば、ＡＳＩＣやＦＰＧＡ等の集積回路により実現される。
【００３７】
図５に示すように、制御部２３は、入稿受付部２４と、要求受付部２５と、選択部２６と、配信部２７とを有し、以下に説明する情報処理の機能や作用を実現または実行する。なお、制御部２３の内部構成は、図５に示した構成に限られず、後述する情報処理を行う構成であれば他の構成であってもよい。また、制御部２３が有する各処理部の接続関係は、図５に示した接続関係に限られず、他の接続関係であってもよい。
【００３８】
入稿受付部２４は、広告コンテンツの入稿を広告主から受け付ける。そして、入稿受付部２４は、広告コンテンツを広告コンテンツ記憶部２２に格納する。
【００３９】
要求受付部２５は、配信装置１００の広告コンテンツ受付部１３２によって送信されたクエリを受け付ける。例えば、配信装置１００の広告コンテンツ受付部１３２は、クエリ受付部１３１によって受け付けられたクエリを要求受付部２５に送信する。そして、要求受付部２５は、配信装置１００の広告コンテンツ受付部１３２によって送信されたクエリを受け付ける。
【００４０】
選択部２６は、要求受付部２５によって受け付けられたクエリに対応する広告主の広告コンテンツを選択する。例えば、選択部２６は、要求受付部２５がクエリを受け付けた場合に、要求受付部２５によって受け付けられたクエリが示す広告主の広告コンテンツを広告コンテンツ記憶部２２から選択する。
【００４１】
配信部２７は、選択部２６によって選択された広告コンテンツを配信装置１００に配信する。例えば、配信部２７は、選択部２６によって選択された広告コンテンツを配信装置１００に配信する。
【００４２】
〔４．配信装置による配信処理手順の一例を示すフローチャート〕
次に、図６を用いて、実施形態に係る配信装置１００による配信処理の手順について説明する。図６は、実施形態に係る配信装置１００による配信処理手順を示すフローチャートである。
【００４３】
図６に示すように、クエリ受付部１３１は、端末装置１０からユーザによって入力されるクエリを受け付けたか否かを判定する（ステップＳ１０１）。そして、クエリ受付部１３１は、ユーザによって入力されるクエリを受け付けていない場合（ステップＳ１０１；Ｎｏ）、受け付けるまで待機する。
【００４４】
一方、クエリ受付部１３１がユーザによって入力されるクエリを受け付けた場合（ステップＳ１０１；Ｙｅｓ）、クエリ受付部１３１は、広告装置２０にクエリを送信する（ステップＳ１０２）。そして、広告コンテンツ受付部１３２は、広告装置２０から配信される広告コンテンツを受け付ける（ステップＳ１０３）。
【００４５】
そして、生成部１３３は、広告主によって提供されるコンテンツに基づいて、広告主専用コンテンツを生成する（ステップＳ１０４）。そして、配信部１３４は、生成部１３３によって生成された広告主専用コンテンツに、広告コンテンツ受付部１３２によって受け付けた広告コンテンツを組み込んで端末装置１０に配信する（ステップＳ１０５）。
【００４６】
〔５．変形例〕
上述した配信装置１００は、上記実施形態以外にも種々の異なる形態にて実施されてよい。そこで、以下では、配信装置１００の他の実施形態について説明する。
【００４７】
〔５−１．広告コンテンツ（１）〕
上記実施形態において、広告コンテンツとして、広告主が提供するコンテンツであれば如何なるコンテンツを適用してもよい。例えば、配信装置１００は、ユーザが広告コンテンツを閲覧したときに広告コンテンツと判断できないコンテンツを広告コンテンツとしてもよい。また、配信装置１００は、広告主が提供するコンテンツであれば、直接的に広告主を想起しないコンテンツを広告コンテンツとしてもよい。
【００４８】
〔５−２．広告コンテンツ（２）〕
上記実施形態では、配信装置１００の配信部１３４が、ユーザによって入力されたクエリに対応する広告コンテンツを含む広告主専用コンテンツを配信すると説明してきたが、配信部１３４は、クエリ受付部１３１によって受け付けられたクエリに広告主に関する情報と地域に関する情報とが含まれる場合に、地域に関する情報を含む広告コンテンツを含む広告主専用コンテンツを端末装置１０に配信してもよい。具体的には、配信装置１００は、ユーザによって入力されたクエリにＡＡ銀行等の広告主と沖縄等の実際の地名とが含まれる場合に、地名に関する情報を含む広告コンテンツを含む広告主専用コンテンツを端末装置１０に配信する。例えば、ユーザによってＡＡ銀行と沖縄というクエリが入力されたとする。この場合、配信部１３４は、沖縄で行われているキャンペーン情報や沖縄特有のお土産に関する情報等を含む広告コンテンツを含む広告主専用コンテンツを端末装置１０に配信する。これにより、変形例に係る配信装置１００の配信部１３４は、クエリに対応する地域に関する情報に応じた自由度の高い広告コンテンツを含む広告主専用コンテンツを提供することができるので、広告主専用コンテンツの訴求効果を高めることができる。
【００４９】
〔５−３．広告コンテンツ（３）〕
上記実施形態では、配信装置１００の配信部１３４が、ユーザによって入力されたクエリに対応する広告コンテンツを含む広告主専用コンテンツを配信すると説明してきたが、配信部１３４は、クエリ受付部１３１によって受け付けられたクエリに施設に関する情報が含まれる場合に、端末装置１０が有する位置情報に基づいて決定される施設に対応する広告コンテンツを含む広告主専用コンテンツを端末装置１０に配信してもよい。具体的には、配信装置１００は、ユーザによって入力されたクエリにコンビニ等のカテゴリーを示す名詞が含まれる場合に、端末装置１０が有する位置情報に最も近接したカテゴリーに対応する店舗を検索し、かかる最近接の店舗に関する情報を含む広告コンテンツを含む広告主専用コンテンツを配信する。例えば、ユーザによってコンビニというクエリが入力されたとする。この場合、配信装置１００は、端末装置１０が有する位置情報に最も近接したコンビニに対応する店舗を検索し、かかる最近接のコンビニ店舗に関する情報と最近接のコンビニ店舗の所在位置に関する位置情報とを含む広告コンテンツを含む広告主専用コンテンツを配信する。これにより、変形例に係る配信装置１００の配信部１３４は、クエリに対応する最も近接した店舗の所在位置に関する位置情報を含む広告主専用コンテンツを提供することができるので、広告主専用コンテンツの訴求効果を高めることができる。
【００５０】
〔５−４．広告コンテンツ（４）〕
上記実施形態では、配信装置１００の配信部１３４が、ユーザによって入力されたクエリに対応する広告コンテンツを含む広告主専用コンテンツを配信すると説明してきたが、配信部１３４は、クエリ受付部１３１によって受け付けられたクエリに広告主が有する施設に関する情報が含まれる場合に、広告主が有する施設の状況に応じた広告コンテンツを含む広告主専用コンテンツを端末装置１０に配信してもよい。具体的には、配信装置１００は、ユーザによって入力されたクエリにＡＡ銀行ＢＢ支店等の店舗名が含まれる場合に、かかる店舗の近況情報を含む広告コンテンツを含む広告主専用コンテンツを配信する。例えば、ユーザによってＡＡ銀行ＢＢ支店というクエリが入力されたとする。この場合、配信部１３４は、ＡＡ銀行ＢＢ支店の混雑情報を含む広告コンテンツを含む広告主専用コンテンツを端末装置１０に配信する。これにより、変形例に係る配信装置１００の配信部１３４は、クエリに対応する広告主が有する店舗情報に応じた自由度の高い広告コンテンツを含む広告主専用コンテンツを提供することができるので、広告主専用コンテンツの訴求効果を高めることができる。
【００５１】
〔５−５．広告コンテンツ（５）〕
上記実施形態では、配信装置１００の配信部１３４が、ユーザによって入力されたクエリに対応する広告コンテンツを含む広告主専用コンテンツを配信すると説明してきたが、配信部１３４は、クエリ受付部１３１によって受け付けられたクエリに対応する広告主が提供するネットサービスに関する情報を含む広告コンテンツを含む広告主専用コンテンツを端末装置１０に配信してもよい。具体的には、配信装置１００は、ユーザによって入力されたクエリにＡＡ銀行等の広告主名が含まれる場合に、かかる広告主が提供するネットサービスを含む広告コンテンツを含む広告主専用コンテンツを配信する。例えば、ユーザによってＡＡ銀行というクエリが入力されたとする。この場合、配信部１３４は、ＡＡ銀行が提供するネットサービスであるキャンペーン情報やアプリケーションサービスに関する情報等を含む広告コンテンツを含む広告主専用コンテンツを端末装置１０に配信する。これにより、変形例に係る配信装置１００の配信部１３４は、クエリに対応する広告主が提供するネットサービスに応じた自由度の高い広告コンテンツを含む広告主専用コンテンツを提供することができるので、広告主専用コンテンツの訴求効果を高めることができる。
【００５２】
〔５−６．配信装置の情報処理〕
上記実施形態において、配信装置１００は、広告装置２０から広告コンテンツを受け付ける配信処理の一例を説明したが、配信装置１００は、端末装置１０に広告主専用コンテンツを配信し、そして広告装置２０が広告コンテンツを端末装置１０に配信してもよい。例えば、配信装置１００は、ユーザによって入力されたクエリを端末装置１０から受け付け、かかるクエリに対応する広告主によって提供されるコンテンツに基づいて、広告主専用コンテンツを生成する。そして、配信装置１００は、広告主専用コンテンツを端末装置１０に配信する。
【００５３】
なお、配信装置１００によって配信される広告主専用コンテンツには、広告コンテンツ取得命令が含まれる。例えば、ウェブコンテンツを形成するＨＴＭＬ（HyperText  Markup  Language）により記述されたＨＴＭＬファイル等には、広告装置２０のＵＲＬ（Uniform  Resource  Locator）等が広告コンテンツ取得命令として記述される。この場合、端末装置１０は、ＨＴＭＬファイル等に記述されているＵＲＬにアクセスすることで、広告装置２０から広告コンテンツを取得する。
【００５４】
以下、図７を用いて、配信装置１００による広告主専用コンテンツを端末装置１０に配信する配信処理の一例を流れに沿って説明する。
【００５５】
まず、図７に示すように、配信装置１００は、ユーザによって入力されたクエリを端末装置１０から受け付ける（ステップＳ２１）。そして、配信装置１００は、端末装置１０から受け付けたクエリに対応する広告主によって提供されるコンテンツに基づいて、広告主専用コンテンツを生成する（ステップＳ２２）。続いて、配信装置１００は、広告主専用コンテンツを端末装置１０に配信する（ステップＳ２３）。そして、端末装置１０は、広告コンテンツの配信要求を広告装置２０に送信する（ステップＳ２４）。例えば、配信装置１００によって配信された広告主専用コンテンツの所定の表示枠に広告コンテンツ取得命令と広告主である企業に関する情報とが含まれている。この場合、端末装置１０は、広告コンテンツ取得命令と広告主である企業に関する情報とに基づいて、広告コンテンツの配信要求を広告装置２０に送信する。
【００５６】
続いて、広告装置２０は、端末装置１０から受け付けた広告コンテンツの配信要求に基づいて、広告主専用コンテンツに対応する広告コンテンツを選択する（ステップＳ２５）。例えば、広告装置２０は、広告コンテンツ取得命令と企業に関する情報とに基づいて、広告主専用コンテンツに対応する広告コンテンツを選択する。続いて、広告装置２０は、端末装置１０に広告コンテンツを配信する（ステップＳ２６）。
【００５７】
このように、配信装置１００は、端末装置１０からユーザによって入力されたクエリに対応する広告主に関する広告主専用コンテンツを端末装置１０に配信する。そして、広告装置２０は、配信装置１００によって配信された広告主専用コンテンツに対応する広告コンテンツを選択し、かかる広告コンテンツを端末装置１０に配信する。これにより、変形例に係る配信装置１００は、クエリに対応する広告主専用のウェブコンテンツ一面に広告主に関する広告コンテンツで占有することができるので、訴求効果を高めることができる。
【００５８】
〔６．ハードウェア構成〕
また、上述してきた実施形態に係る端末装置１０、広告装置２０、配信装置１００は、例えば図８に示すような構成のコンピュータ１０００によって実現される。以下、配信装置１００を例に挙げて説明する。図８は、配信装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【００５９】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【００６０】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００がネットワークＮを介して生成したデータを他の機器へ送信する。
【００６１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【００６２】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００６３】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、コンテンツ記憶部１２０内のデータが格納される。コンピュータ１０００のＣＰＵ１１００は、これらのプログラムを記録媒体１８００から読み取って実行するが、他の例として、他の装置からネットワークＮを介してこれらのプログラムを取得してもよい。
【００６４】
〔７．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００６５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００６６】
また、上述してきた実施形態及び変形例は、処理内容を矛盾させない範囲で適宜組み合わせることが可能である。
【００６７】
また、上述してきた「部（section、module、unit）」は、「手段」や「回路」などに読み替えることができる。例えば、配信部は、配信手段や配信回路に読み替えることができる。
【００６８】
〔８．効果〕
上述してきたように、実施形態に係る配信装置１００は、クエリ受付部１３１と、配信部１３４とを有する。クエリ受付部１３１は、端末装置１０からクエリを受け付ける。配信部１３４は、クエリ受付部１３１によって受け付けられたクエリによって示される広告主に関するコンテンツ（広告主専用コンテンツに相当）であって、広告主の広告コンテンツが表示されるコンテンツを端末装置１０に配信する。
【００６９】
これにより、実施形態に係る配信装置１００は、ウェブコンテンツ一面を特定の広告主に関する広告コンテンツで占有することができるので、訴求効果を高めることができる。
【００７０】
また、実施形態に係る配信装置１００において、配信部１３４は、コンテンツとして、広告主に関する情報を含む広告主専用コンテンツを端末装置１０に配信する。
【００７１】
これにより、実施形態に係る配信装置１００は、ウェブコンテンツ一面を特定の広告主に関する広告コンテンツで占有することができるので、訴求効果を高めることができる。
【００７２】
また、実施形態に係る配信装置１００において、配信部１３４は、広告主の拠点に関する情報を含む広告主専用コンテンツを端末装置１０に配信する。
【００７３】
これにより、実施形態に係る配信装置１００は、ウェブコンテンツ一面を特定の広告主に関する広告コンテンツで占有し、かつ、広告主の拠点に関する情報をも含むため、訴求効果を高めることができる。
【００７４】
また、実施形態に係る配信装置１００において、配信部１３４は、クエリ受付部１３１によって受け付けられたクエリに地域に関する情報が含まれる場合に、地域に関する情報を含む広告主の広告コンテンツが表示されるコンテンツを端末装置１０に配信する。
【００７５】
これにより、実施形態に係る配信装置１００は、地域に関する情報に関連した広告効果の高い広告コンテンツを選択的に含んだ広告主専用コンテンツを提供することができる。
【００７６】
また、実施形態に係る配信装置１００において、配信部１３４は、クエリ受付部１３１によって受け付けられたクエリに施設に関する情報が含まれる場合に、端末装置１０の所在位置に関する位置情報に基づいて決定される施設に対応する広告コンテンツが表示されるコンテンツを端末装置１０に配信する。
【００７７】
また、実施形態に係る配信装置１００において、配信部１３４は、クエリ受付部１３１によって受け付けられたクエリに施設に関する情報が含まれる場合に、端末装置１０の所在位置に関する位置情報に最も近接した施設に対応する広告コンテンツが表示されるコンテンツを端末装置１０に配信する。
【００７８】
これにより、実施形態に係る配信装置１００は、端末装置１０の所在位置に関する位置情報に基づいて決定される施設に対応した広告効果の高い広告コンテンツを選択的に含んだ広告主専用コンテンツを提供することができる。
【００７９】
また、実施形態に係る配信装置１００において、配信部１３４は、クエリ受付部１３１によって受け付けられたクエリに広告主が有する施設に関する情報が含まれる場合に、広告主が有する施設の状況に応じた広告コンテンツが表示されるコンテンツを端末装置１０に配信する。
【００８０】
また、実施形態に係る配信装置１００において、配信部１３４は、クエリ受付部１３１によって受け付けられたクエリに広告主が有する施設に関する情報が含まれる場合に、広告主が有する施設の混雑状況に応じた広告コンテンツが表示されるコンテンツを端末装置１０に配信する。
【００８１】
これにより、実施形態に係る配信装置１００は、広告主が有する店舗の混雑状況に応じた広告コンテンツを選択的に含んだ広告主専用コンテンツを提供することができる。
【００８２】
また、実施形態に係る配信装置１００において、配信部１３４は、クエリ受付部１３１によって受け付けられたクエリによって示される広告主に関するコンテンツであって、広告主が有するネットサービスに対応する広告コンテンツが表示されるコンテンツを端末装置１０に配信する。
【００８３】
これにより、実施形態に係る配信装置１００は、広告主が有するネットサービスに対応する広告コンテンツを選択的に含んだ広告主専用コンテンツを提供することができる。
【００８４】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００８５】
１  配信システム
１０  端末装置
２０  広告装置
２１  通信部
２２  広告コンテンツ記憶部
２３  制御部
２４  入稿受付部
２５  要求受付部
２６  選択部
２７  配信部
１００  配信装置
１１０  通信部
１２０  コンテンツ記憶部
１３０  制御部
１３１  クエリ受付部
１３２  広告コンテンツ受付部
１３３  生成部
１３４  配信部
【図１】
2019056963.tif 000003
【図２】
2019056963.tif 000004
【図３】
2019056963.tif 000005
【図４】
2019056963.tif 000006
【図５】
2019056963.tif 000007
【図６】
2019056963.tif 000008
【図７】
2019056963.tif 000009
【図８】
2019056963.tif 000010